(57)【要約】【課題】導電パターンを電解めっきによって形成するため、基板の厚さや基板を貫通する貫通導体部の径に制限が存在する従来のインターポーザの課題を解消する。【解決手段】電子部品の接続端子と配線基板の接続端子とを電気的に接続する基板状のインターポーザ３０は、複数のチップ部品３２がモールド樹脂３４によって一体化されており、チップ部品３２には、本体部３２ａ周面に沿って本体部３２ａよりも低電気抵抗の電極３２ｂが帯状に形成され、チップ部品３２の電極３２ｂが電子部品の接続端子と配線基板の接続端子とを電気的に接続できるように、インターポーザ３０の両面に露出している。【選択図】図１
2010258301.tif 000002
【特許請求の範囲】
【請求項１】
電子部品の接続端子と配線基板の接続端子とを電気的に接続するインターポーザが、複数のチップ部品が樹脂によって一体化された基板状のインターポーザであって、
前記チップ部品の本体部の周面に沿って、前記本体部よりも低電気抵抗の電極が、前記インターポーザの一面側と他面側とを電気的に接続するように帯状に形成され、
前記チップ部品の電極が、前記電子部品の接続端子と前記配線基板の接続端子とを電気的に接続できるように、前記インターポーザの両面に露出していることを特徴とするインターポーザ。
【請求項２】
チップ部品が、四角形状の本体部の両端側の各周面に沿って金属から成る複数の帯状の電極が形成されているチップ部品である請求項１記載のインターポーザ。
【請求項３】
電子部品に形成された複数の接続端子の各々と配線基板の接続端子とが前記電極によって接続されて形成される複数の配線は、互いに前記配線を形成する金属よりも高抵抗の材料を介して互いに離間されている請求項１又は請求項２記載のインターポーザ。
【請求項４】
樹脂が、モールド樹脂であって、チップ部品間に充填されている請求項１〜３のいずれか一項記載のインターポーザ。
【請求項５】
チップ部品が、チップコンデンサ、チップ抵抗器又はチップインダクタである請求項１〜４のいずれか一項記載のインターポーザ。
【請求項６】
半導体素子の接続端子と配線基板の接続端子とが、請求項１〜５のいずれか一項記載のインターポーザによって電気的に接続されていることを特徴とする半導体装置。
【請求項７】
配線基板が、インターポーザのチップ部品の帯状の電極と接続される接続端子と反対側面に複数の外部接続端子が設けられた配線基板であって、電子部品に形成された複数の接続端子の各々と前記配線基板の接続端子とがチップ部品の帯状の電極によって接続されて形成される、前記電子部品の接続端子から前記配線基板の外部接続端子に至る複数の配線が、互いに前記配線を形成する金属よりも高抵抗の材料を介して互いに離間されている請求項６記載の半導体装置。
【発明の詳細な説明】
【技術分野】
【０００１】
本発明はインターポーザ及び半導体装置に関する。
【背景技術】
【０００２】
半導体装置には、図６に示す様に、半導体素子１００の接続端子と配線基板１０２の接続端子とをインターポーザ１０４によって電気的に接続したものがある（例えば、下記特許文献１参照）。
このインターポーザ１０４には、シリコン基板等の基板を貫通する貫通導体部１０４ａと、貫通導体部１０４ａの両端部にパッド１０４ｂ、１０４ｂとから成る導電パターンが形成されている。かかる導電パターンは、電解めっきによって形成されている。
【先行技術文献】
【特許文献】
【０００３】
【特許文献１】特開２００４−３１１５７４号公報
【発明の概要】
【発明が解決しようとする課題】
【０００４】
図６に示すインターポーザ１０４を用いることによって、半導体素子１００の実装強度等の向上を図ることができる。
しかし、図６に示すインターポーザ１０４の導電パターンは、電解めっきによって形成しているため、インターポーザ１０４の厚さや貫通導体部１０４ａの径には制限がある。
つまり、基板を貫通する貫通孔内に電解めっきによってめっき金属を充填して貫通導体部１０４ａを形成する際に、高アスペスト比の貫通孔内には充分にめっき金属を充填できないからである。
そこで、本発明は、導電パターンを電解めっきによって形成するため、基板の厚さや基板を貫通する貫通導体部の径に制限が存在する従来のインターポーザの課題を解消し、基板の厚さや基板を貫通する貫通導体部の径の制限を解消できるインターポーザ及びこのインターポーザを用いた半導体装置を提供することを目的とする。
【課題を解決するための手段】
【０００５】
本発明者は、前記課題を解消すべく、先ず、図７に示す様に、インターポーザの貫通導体部を金属コアボール２００によって形成することを試みた。金属コアボール２００は、銅等の金属から成るボール状のコア部２００ａの周面をはんだ２００ｂによって覆われているものである。
かかる複数の金属コアボール２００，２００・・を樹脂モールドによって一体化してインターポーザを形成したところ、図７に示す如く、位置ずれが生じた金属コアボール２００が存在した。溶融したモールド樹脂２０２の流動に伴って、金属コアボール２００が移動したものと推察される。この様に、金属コアボール２００の位置ずれが生じたインターポーザは、インターポーザとして用いることはできない。
また、金属コアボール２００，２００・・の各々を、樹脂モールドに先立って所定箇所に位置決めする際に、金属コアボール２００を所定箇所に落とし込む貫通孔が形成されたマスク板を用いることを必要とし、煩雑である。
【０００６】
本発明者は、金属コアボール２００に代えて、四角形状の本体部の両端部を包むように電極が形成されているチップコンデンサを用いて樹脂モールドしたところ、チップコンデンサの電極から成る貫通導体部が所定位置に形成されたインターポーザを容易に得ることができ、前記課題を解消できることを見出した。
すなわち、前記課題を解決するための手段としては、電子部品の接続端子と配線基板の接続端子とを電気的に接続するインターポーザが、複数のチップ部品が樹脂によって一体化された基板状のインターポーザであって、前記チップ部品の本体部の周面に沿って、前記本体部よりも低電気抵抗の電極が、前記インターポーザの一面側と他面側とを電気的に接続するように帯状に形成され、前記チップ部品の電極が、前記電子部品の接続端子と前記配線基板の接続端子とを電気的に接続できるように、前記インターポーザの両面に露出しているインターポーザを提供できる。
また、前記課題を解決するための手段としては、半導体素子の接続端子と配線基板の接続端子とが、前述したインターポーザによって電気的に接続されている半導体装置を提供できる。
【発明の効果】
【０００７】
本発明者が課題を解決できる手段として提供したインターポーザでは、複数のチップ部品が樹脂によって一体化された基板状のインターポーザを用いる。このチップ部品としては、本体部の両端側の各周面に沿って形成された、本体部よりも低電気抵抗の帯状の電極の各々に、少なくとも二面が互いに対向する平坦面を形成したチップ部品を用いている。
かかるチップ部品の各電極の平坦面の少なくとも一部をインターポーザの表面に露出している。このため、チップ部品の各電極を、インターポーザを貫通する貫通導体部として用いることができる。
その結果、このインターポーザを、電子部品の接続端子と対応する前記配線基板の接続端子との接続を行うことのできるインターポーザとして利用できる。
従って、電解めっきによって貫通導体部を形成することを要しないため、インターポーザの厚さやインターポーザを貫通する貫通導体部の径の制限を解消できる。
また、チップ部品を所定位置に配設する際には、チップマウンタを用いて行うことができ、インターポーザの製造工程の簡素化も図ることができる。
【図面の簡単な説明】
【０００８】
【図１】本発明者が提案した半導体装置の一例を説明するための断面図である。
【図２】図１に示す半導体装置に用いたインターポーザ３０の断面図である。
【図３】図２に示すインターポーザ３０に用いたチップ部品３２の外観を示す斜視図及び縦断面図である。
【図４】図２に示すインターポーザ３０に用いることのできる他のチップ部品を説明するための縦断面図である。
【図５】図２に示すインターポーザ３０の製造工程を説明する説明図である。
【図６】従来のインターポーザを用いた半導体装置の断面図である。
【図７】本発明者が試作したインターポーザを説明する断面図である。
【発明を実施するための形態】
【０００９】
本発明者が課題を解決できる手段として提供した半導体装置の一例を図１に示す。図１に示す半導体装置は、電子部品としての半導体内蔵基板１０とマザーボードとしての配線基板２０とを、インターポーザ３０によって電気的に接続しているものである。
半導体内蔵基板１０は、多層配線基板１２の一面側に半導体素子１４をフリップチップ方式で搭載し、多層配線基板１２の他面側に外部接続端子としてのはんだボール１６，１６・・が設けられている。
また、配線基板２０には、多層配線基板２２の一面側に、外部接続端子としてのはんだボール２４，２４・・が設けられている。この多層配線基板２２には、半導体内蔵基板１０の外周縁近傍に設けられている信号用配線と接続される信号用配線２６ａ、半導体内蔵基板１０の中央部近傍に設けられているグランド用配線と接続されるグランド用配線２６ｂ、及び半導体内蔵基板１０の中央部近傍に設けられている電源用配線と接続される電源用配線２６ｃが形成されている。
【００１０】
かかる半導体内蔵基板１０と配線基板２０とを電気的に接続するインターポーザ３０を図２に示す。図２に示すインターポーザ３０は、基板状であって、複数のチップ部品３２，３２・・が、モールド樹脂３４，３４・・で一体化されている。
図２に示すインターポーザ３０では、その両面側の各表面に、チップ部品３２，３２・・の各本体部３２ａの両端部に形成された帯状の電極３２ｂの一部が露出している。
かかるチップ部品３２は、図３（ａ）に示す様に、四角形状の本体部３２ａの両端側の各周面に沿って、本体部３２ａよりも低電気抵抗値の金属から成る帯状の電極３２ｂが形成されている。電極３２ｂは、図３（ｂ）に示す様に、本体部３２ａの端面を覆うように形成されている。
この様な、図３に示すチップ部品３２の電極３２ｂには、互いに対向する平坦面３５，３５が形成されており、平坦面３５，３５の各々がインターポーザ３０の両面に露出している。このため、チップ部品３２の電極３２ｂ，３２ｂの各々は、インターポーザ３０を貫通する貫通導体部としての役割を奏する。
【００１１】
チップ部品３２としては、本体部３２ａの両端側の各周面に沿って、本体部３２ａよりも低電気抵抗の帯状の電極３２ｂ，３２ｂが形成されたチップ部品を用いることができる。このため、図４（ａ）に示す様に、チップコンデンサをチップ部品３２として用いることができる。図４（ａ）に示すチップ部品３２は、チタン酸バリウム等の誘電体材料から成る本体部３２ａ内に、電極３２ｂ，３２ｂから延出された延出電極３２ｃ，３２ｃ・・が設けられている。かかる図４（ａ）に示すチップ部品３２は、グランド用配線、電源用配線の接続に好適に用いることができる。
図４（ａ）に示すチップ部品３２に代えて、図４（ｂ）に示す様に、延出電極３２ｃ，３２ｃ・・を、図４（ａ）に示すチップ部品３２の延出電極３２ｃ，３２ｃ・・よりも短くしてもよい。
また、図４（ａ）（ｂ）に示すチップ部品３２の本体部３２ａを、アルミナ等の絶縁性材料によって形成してもよい。かかるチップ部品３２は、信号用配線の接続に好適に用いることができる。
【００１２】
図３及び図４（ａ）（ｂ）に示すチップ部品３２を用いた図１に示す半導体装置では、半導体内蔵基板１０のはんだボール１６，１６・・の各々と配線基板２０の外部接続端子としてのはんだボール２４とがチップ部品３２の帯状の電極３２ｂによって接続されて、半導体内蔵基板１０のはんだボール１６から配線基板２０のはんだボール２４に至る複数の配線が形成される。かかる複数の配線は、配線を形成する金属よりも高抵抗の材料を介して互いに離間されている。
図３及び図４（ａ）（ｂ）に示すチップ部品３２の様に、電極３２ｂ，３２ｂを形成する金属よりも高抵抗の材料を介して互いに離間されているチップ部品に代えて、図４（ｃ）に示す様に、チップ抵抗器を用いることができる。図４（ｃ）に示すチップ部品３２は、絶縁性材料から成る本体部３２ａに電極３２ｂ，３２ｂを接続する抵抗体が設けられているものである。この抵抗体は、電極３２ｂ，３２ｂを形成する金属よりも高抵抗の材料によって形成されている。
その他に、チップ部品３２として、チップインダクタを用いることができる。
【００１３】
図３及び図４に示す四角形状のチップ部品３２を用いてインターポーザ３０を製造するには、図５（ａ）に示す様に、支持板５０の一面側に設置した熱剥離シート５２上の所定箇所に、チップ部品３２，３２・・を配設する。このチップ部品３２，３２・・の配設は、チップマウンターを用いて行うことができる。
次いで、チップ部品３２，３２・・を、図５（ｂ）に示す様に、モールド樹脂３４によって樹脂モールドする。この際に、四角形状のチップ部品３２は、その平坦面と支持板５０の一面側との接触面積が大きいため、溶融したモールド樹脂の流動によって移動せず、当初の配設位置で一体化できる。
更に、モールド樹脂３４にブラスト加工を施して、図５（ｃ）に示す様に、チップ部品３２，３２・・の各平坦面３５を露出することによって、チップ部品３２，３２の間がモールド樹脂に充填されている基板状のインターポーザ３０を得ることができる。
その後、所定温度に加熱して、熱剥離シート５２からインターポーザ３０を剥離して、図２に示すインターポーザ３０を得ることができる。
【００１４】
以上、説明してきた図１では、電子部品として、半導体素子を内蔵する半導体内蔵基板１０を用いているが、電子部品として、半導体素子、受動部品、受動部品を内蔵する内蔵基板、半導体素子及び受動部品を内蔵する内蔵基板を用いることができる。
これまで、説明してきたインターポーザ３０では、チップ部品３２の電極３２ｂ，３２ｂの平坦面の全面を露出しているが、平坦面の一部を露出するようにしてもよい。
また、チップ部品３２は、本体部３２ａも四角形状であったが、本体部３２ａは円筒状であってもよい。
更に、チップ部品３２の電極３２ｂ，３２ｂは、少なくとも二面が互いに対向する平坦面に形成されていればよく、その横断面形状が四角形状でなくてもよい。また、電極３２ｂ，３２ｂは、本体部３２ａの両端側の各周面に沿って帯状の電極が形成されていればよく、本体部３２ａの両端面に電極が形成されておらず、本体部３２ａの端面が露出していてもよい。
【符号の説明】
【００１５】
１０  半導体内蔵基板
２０  配線基板
３０  インターポーザ
３２  チップ部品
３２ａ  本体部
３２ｂ  電極
３４  モールド樹脂
３５  電極３２ｂの平坦面
【図１】
2010258301.tif 000003
【図２】
2010258301.tif 000004
【図３】
2010258301.tif 000005
【図４】
2010258301.tif 000006
【図５】
2010258301.tif 000007
【図６】
2010258301.tif 000008
【図７】
2010258301.tif 000009